(57)【要約】
【課題】　ネジなどの固定部材を使用なく、初心者でも簡単にやや完璧な比例を有する人体上半身模型を製造することができる粘土工芸用人体上半身ひな形を提供する。
【解決手段】　貫通孔（１９）を有する複数の中空な模型部材（１０）と、中央及び四つの角の付近に貫通孔が形成されるベースと、ベース上に設けられると共に、中央にベースの貫通孔と対応する貫通孔が形成されるベースカバーと、数本の針金（４０）とを備え、該針金（４０）の一端がベースの中央における貫通孔を貫通した後、ベースの角の付近における貫通孔を貫通し出すことにより固定され、他端が中空な模型部材（１０）を貫通することを特徴とする。
【選択図】　図１
0003100544.tif 000002
【実用新案登録請求の範囲】
【請求項１】
貫通孔（１９）を有する複数の中空な模型部材（１０）と、
　中央及び四つの角の付近に貫通孔（２１０）（２２）が形成されるベース（２０）と、
　ベース（２０）上に設けられると共に、中央にベース（２０）の貫通孔（２１０）と対応する貫通孔（３１）が形成されるベースカバー（３０）と、
　数本の針金（４０）とを備え、該針金（４０）の一端がベース（２０）の中央における貫通孔（２１０）を貫通した後、ベース（２０）の角の付近における貫通孔（２２）を貫通し出すことにより固定され、他端が中空な模型部材（１０）を貫通することを特徴とする粘土工芸用人体上半身ひな形。
【請求項２】
前記中空な模型部材（１０）は平面部（１１０）を有する一つの卵形頭部（１１）と、一つの大楕円プレート（１２）と、一つの小楕円プレート（１３）と、異なる大きさを有する三つの楕円柱（１４）と、一つの水滴状柱（１５）と、異なる大きさを有する五つの円柱（１７）と、異なる大きさを有する三つの円柱（１８）とを有することを特徴とする請求項１に記載の粘土工芸用人体上半身ひな形。
【請求項３】
前記中空な模型部材（１０）の表面に顆粒が設けられることを特徴とする請求項１又は２に記載の粘土工芸用人体上半身ひな形。
【考案の詳細な説明】
【技術分野】
【０００１】
　本考案は、特にネジなどの固定部材を使用なく、初心者でも簡単にやや完璧な比例を有する人体上半身模型を製造することができる粘土工芸用人体上半身ひな形に関するものである。
【背景技術】
【０００２】
粘土工芸の初心者はひな形を作ることをとても難しいと思い、特に人体上半身のひな形を作る際、模型の各部分の比例を掌握し易くないため、製造した模型は比例不対称のことが発生してしまう。このわけで、初心者は粘土工芸の自信を喪失し、勉強し続ける楽しみ及び成就感が喪うことがある。美術授業に使用される従来のひな形はプレート状のベースにネジなどの固定部材によって立ちロッドが設置されるものである。生徒たちは立ちロッドに粘土を付けると共に、予想の形を捏ねている。
【考案の開示】
【考案が解決しようとする課題】
【０００３】
　しかしながら、模型の骨はただ一本の立ちロッドしかないため、粘土を捏ねる際、生徒たちは自身の美術才能と経験によって各部分の比例を掌握するしかなく、こうすると、経験不足の生徒又は初心者にとって各部分の比例（特に人体上半身の比例）を正確に掌握できないので、完成品の見た目がよくなく、初心者の成就感を喪ってしまう。
【０００４】
　そこで、案出されたのが本考案であって、初心者でも簡単にやや完璧な比例を有する人体上半身模型を製造することができる粘土工芸用人体上半身ひな形を提供することを目的としている。
【課題を解決するための手段】
【０００５】
　本願の請求項１の考案は、貫通孔（１９）を有する複数の中空な模型部材（１０）と、
　中央及び四つの角の付近に貫通孔（２１０）（２２）が形成されるベース（２０）と、
　ベース（２０）上に設けられると共に、中央にベース（２０）の貫通孔（２１０）と対応する貫通孔（３１）が形成されるベースカバー（３０）と、
　数本の針金（４０）とを備え、該針金（４０）の一端がベース（２０）の中央における貫通孔（２１０）を貫通した後、ベース（２０）の角の付近における貫通孔（２２）を貫通し出すことにより固定され、他端が中空な模型部材（１０）を貫通することを特徴とする粘土工芸用人体上半身ひな形及び、
　本願の請求項２の考案は、前記中空な模型部材（１０）は平面部（１１０）を有する一つの卵形頭部（１１）と、一つの大楕円プレート（１２）と、一つの小楕円プレート（１３）と、異なる大きさを有する三つの楕円柱（１４）と、一つの水滴状柱（１５）と、異なる大きさを有する五つの円柱（１７）と、異なる大きさを有する三つの円柱（１８）とを有することを特徴とする請求項１に記載の粘土工芸用人体上半身ひな形及び、
　本願の請求項３の考案は、前記中空な模型部材（１０）の表面に顆粒が設けられることを特徴とする請求項１又は２に記載の粘土工芸用人体上半身ひな形、を提供する。
【考案の効果】
【０００６】
　本考案は、上記の課題を解決するものであり、各部の中空な模型部材により、人体上半身ひな形を作製するだけでなく、人体上半身の様々な姿もリアルに表現することができ、使用上非常に簡単であり、教材用に使用することもできる。
【考案を実施するための最良の形態】
【０００７】
　以下、添付図面を参照して本考案の好適な実施の形態を詳細に説明する。尚、下記実施例は、本考案の好適な実施の形態を示したものにすぎず、本考案の技術的範囲は、下記実施例そのものに何ら限定されるものではない。
【０００８】
　図１は本考案に係る粘土工芸用人体上半身ひな形の構成部材を示す正面図であり、図２は本考案に係る粘土工芸用人体上半身ひな形の針金をベースの中央における貫通孔を貫通する状態を示す斜視図であり、図３は本考案に係る粘土工芸用人体上半身ひな形の針金をベースの角の付近における貫通孔から貫通し出す状態を示す斜視図であり、図４は本考案に係る粘土工芸用人体上半身ひな形のベースとベースカバーの分解斜視図であり、図５は本考案に係る粘土工芸用人体上半身ひな形のベースとベースカバーの結合状態を示す断面図であり、図６は本考案に係わる粘土工芸用人体上半身ひな形の第一使用状態を示す参考図であり、図７は図６の粘土工芸用人体上半身ひな形によって製造した人体模型を示す参考図であり、図８は本考案に係わる粘土工芸用人体上半身ひな形の第二使用状態を示す参考図であり、図９は図８の粘土工芸用人体上半身ひな形によって製造した人体模型を示す参考図であり、図１０は本考案に係わる粘土工芸用人体上半身ひな形の第三使用状態を示す参考図であり、図１１は図１０の粘土工芸用人体上半身ひな形によって製造した人体模型を示す参考図である。
【０００９】
　図１乃至図４に示すように、本考案に係る粘土工芸用人体上半身ひな形は平面部（１１０）を有する一つの卵形頭部（１１）と、一つの大楕円プレート（１２）と、一つの小楕円プレート（１３）と、異なる大きさを有する三つの楕円柱（１４）と、一つの水滴状柱（１５）と、異なる大きさを有する五つの円柱（１７）と、異なる大きさを有する三つの円柱（１８）とを有すると共に、表面に貫通孔（１９）を有する複数の中空な模型部材（１０）と、
　中央に貫通孔（２１０）が形成される立ちパイプ（２１）を有すると共に、四つの角の付近に貫通孔（２２）が形成されるベース（２０）と、
　ベース（２０）上に設けられると共に、中央にベース（２０）における立ちパイプ（２１）の貫通孔（２１０）と対応する貫通孔（３１）が形成されるベースカバー（３０）と、
　数本の針金（４０）とを備え、該針金（４０）の一端がベース（２０）における立ちパイプ（２１）の貫通孔（２１０）を貫通した後、ベース（２０）の角の付近における貫通孔（２２）を貫通し出すことにより固定され、他端が中空な模型部材（１０）を貫通する。
図２に示すように、本考案に係る粘土工芸用人体上半身ひな形のベース（２０）と針金（４０）を組合せる際、先ず針金（４０）の一端が下方へ向かってベース（２０）における立ちパイプ（２１）の貫通孔（２１０）を貫通した後、ベース（２０）の角の付近における貫通孔（２２）へ向かって折り曲げられる。
【００１０】
　又、図３に示すように、前記針金（４０）の一端が更に上方へ向かってベース（２０）の角の付近における貫通孔（２２）を貫通し出すことにより固定され、最後に、図４及び図５に示すように、針金（４０）が貫通孔（３１）を貫通することによりベースカバー（３０）をベース（２０）と結合する。
【００１１】
　更に、図６に示すように、針金（４０）とベース（２０）を結合した後、針金（４０）が中空な模型部材（１０）の貫通孔（１９）を貫通することにより、針金（４０）に中空な模型部材（１０）を設置させ、人体上半身ひな形にすることことができる。図６に示すのは、一つの円柱（１７）と、二つの楕円柱（１４）と、一つの大楕円柱（１２）と、二つの円柱（１７）と、一つの卵形頭部（１１）の中空な模型部材（１０）が順に針金（４０）に設置され、又、ポニーテールを作成するために、針金（４０）が卵形頭部（１１）の両側における貫通孔（１９）に挿入されることにより、該針金（４０）をポニーテールのひな形として使用する。
【００１２】
　図７に示すように、図６の人体上半身ひな形に粘土を付けた後、比例対称の女子高生の人体上半身模型になる。
【００１３】
　又、図８に示すように、一つの円柱（１７）と、二つの楕円柱（１４）と、一つの大楕円プレート（１２）と、三つの円柱（１８）と、一つの水滴状柱（１５）と、一つの卵形頭部（１１）の中空な模型部材（１０）が順に針金（４０）に設置され、又、大楕円プレート（１２）に針金（４０）を増設することにより、該針金（４０）を手のひな形として使用する。
【００１４】
　図９に示すように、図８の人体上半身ひな形に粘土を付けた後、舌を出す状態の人の人体上半身模型になる。
【００１５】
　又、図１０に示すように、異なる大きさを有する三つの楕円柱（１４）と、一つの小楕円プレート（１３）と、一つの円柱（１８）と、三つの円柱（１７）と、一つの卵形頭部（１１）の中空な模型部材（１０）が順に針金（４０）に設置されることにより、人体上半身ひな形を作製する。
【００１６】
　図１１に示すように、図１０の人体上半身ひな形に粘土を付けた後、帽子を掛ける女の子の人体上半身模型になる。
【００１７】
　又、粘土の付着性を向上するため、各模型部材の表面に顆粒が設けられる。
【産業上の利用可能性】
【００１８】
　本考案は上記の構成を有するので、使用者は粘土工芸する時、自分の予想の通り、比例対称の人体上半身模型を作製することができ、更に、本考案の各部の中空な模型部材により、人体上半身ひな形を作製するだけでなく、人体上半身の様々な姿もリアルに表現することができ、使用上非常に簡単であり、教材用に使用するのに好適である。
【図面の簡単な説明】
【００１９】
【図１】本考案に係る粘土工芸用人体上半身ひな形の構成部材を示す正面図である。
【図２】本考案に係る粘土工芸用人体上半身ひな形の針金をベースの中央における貫通孔を貫通する状態を示す斜視図である。
【図３】本考案に係る粘土工芸用人体上半身ひな形の針金をベースの角の付近における貫通孔から貫通し出す状態を示す斜視図である。
【図４】本考案に係る粘土工芸用人体上半身ひな形のベースとベースカバーの分解斜視図である。
【図５】本考案に係る粘土工芸用人体上半身ひな形のベースとベースカバーの結合状態を示す断面図である。
【図６】本考案に係わる粘土工芸用人体上半身ひな形の第一使用状態を示す参考図である。
【図７】図６の粘土工芸用人体上半身ひな形によって製造した人体模型を示す参考図である。
【図８】本考案に係わる粘土工芸用人体上半身ひな形の第二使用状態を示す参考図である。
【図９】図８の粘土工芸用人体上半身ひな形によって製造した人体模型を示す参考図である。
【図１０】本考案に係わる粘土工芸用人体上半身ひな形の第三使用状態を示す参考図である。
【図１１】図１０の粘土工芸用人体上半身ひな形によって製造した人体模型を示す参考図である。
【符号の説明】
【００２０】
　１０　　　　中空な模型部材
　１１　　　　卵形頭部
　１１０　　　平面部
　１２　　　　大楕円柱
　１３　　　　小楕円柱
　１４　　　　楕円柱
　１５　　　　水滴状柱
　１７　　　　円柱
　１８　　　　円柱
　１９　　　　貫通孔
　２０　　　　ベース
　２１　　　　立ちパイプ
　２１０　　　貫通孔
　２２　　　　貫通孔
　３０　　　　ベースカバー
　３１　　　　貫通孔
　４０　　　　針金
【図１】
0003100544.tif 000003
【図２】
0003100544.tif 000004
【図３】
0003100544.tif 000005
【図４】
0003100544.tif 000006
【図５】
0003100544.tif 000007
【図６】
0003100544.tif 000008
【図７】
0003100544.tif 000009
【図８】
0003100544.tif 000010
【図９】
0003100544.tif 000011
【図１０】
0003100544.tif 000012
【図１１】
0003100544.tif 000013